(57)【特許請求の範囲】
【請求項１】
第一の端部と前記第一の端部の反対側の第二の端部とを有した筐体と、
前記筐体と一体に設けられ前記筐体から突出した突出部を有した、二つの第一の支持部
と、
前記二つの第一の支持部と離間して前記筐体から突出した第二の支持部と、
前記第一の端部と前記第二の端部とのうち前記第一の端部に寄せられ、外部機器が着脱
可能な第一のコネクタと、
前記第一の端部と前記第二の端部とのうち前記第二の端部に寄せられ、無線通信装置が
着脱可能な第二のコネクタと、
表示画面を有し前記第一の端部と前記第二の端部との間に位置された表示装置とを備えた
電子機器であって、
前記筐体は、
前記表示装置の少なくとも前記表示画面とは反対側を覆ったカバーと、
前記カバーとは反対側から前記表示画面の周囲を覆ったマスク部材と、
前記第一の端部と前記第二の端部とを有し、前記マスク部材と前記カバーとの間に位置
されて前記表示装置の少なくとも周縁部を覆ったミドルフレーム部材と、
を有した電子機器。
【請求項２】
前記突出部は、前記ミドルフレーム部材と一体に設けられ、前記表示画面の短手方向側
の端部の、前記表示画面の長手方向の両端部より中央部側に寄った位置から突出し、
前記第二の支持部は、前記二つの第一の支持部と離間して前記カバーから突出した、請
求項１に記載の電子機器。
【請求項３】
前記第一のコネクタが実装された第一の回路基板と、
前記第二のコネクタが実装された第二の回路基板と、
を備えた請求項１または２のいずれか一項に記載の電子機器。
【請求項４】
前記表示装置の前記表示画面とは反対側に位置された壁部を備え、
前記第二の回路基板は、前記壁部の前記表示装置とは反対側で前記壁部に取り付けられ
た、請求項３に記載の電子機器。
【請求項５】
前記第二の回路基板は、前記壁部から離された、請求項４に記載の電子機器。
【請求項６】
前記第二のコネクタに取り付けられた前記無線通信装置の少なくとも一部は、前記表示
装置の厚さ方向の視線で前記表示装置から外れた、請求項１または２のいずれか一項に記
載の電子機器。
【請求項７】
前記カバーの角部には、前記第二のコネクタに取り付けられる前記無線通信装置を収容
する収容部が設けられた、請求項１または２に記載の電子機器。
【請求項８】
前記第一のコネクタと前記第二のコネクタとの間に位置され電磁波遮蔽性の筐体を有し
た電子部品を備えた、請求項１ないし７のいずれか一項に記載の電子機器。
【請求項９】
前記電子部品は、前記第一のコネクタと前記第二のコネクタとのうち前記第二のコネク
タに寄せられた、請求項８に記載の電子機器。
【請求項１０】
前記第一のコネクタは、データ通信用である、請求項１ないし９のいずれか一項に記載
の電子機器。
【発明の詳細な説明】
【技術分野】
【０００１】
本発明の実施形態は、電子機器に関する。
【背景技術】
【０００２】
従来、無線通信装置が装着されるコネクタを有するテレビジョン受像機が知られている。
【先行技術文献】
【特許文献】
【０００３】
【特許文献１】特開２００６−３１１１０９号公報
【発明の概要】
【発明が解決しようとする課題】
【０００４】
この種のテレビジョン受像機では、一例として、無線通信装置による無線通信に、他の部品からのノイズが影響を与えることを抑制することが望まれている。
【０００５】
そこで、本発明の実施形態は、一例として、無線通信装置による無線通信を良好に行うことができる電子機器を得ることを目的の一つとする。
【課題を解決するための手段】
【０００６】
実施形態の電子機器は、筐体と、二つの第一の支持部と、第二の支持部と、第一のコネクタと、第二のコネクタと、を備えた。前記筐体は、第一の端部と前記第一の端部の反対側の第二の端部とを有した。前記第一の支持部は、前記筐体と一体に設けられ前記筐体から突出した突出部を有した。前記第二の支持部は、前記二つの第一の支持部と離間して前記筐体から突出した。前記第一のコネクタは、前記第一の端部と前記第二の端部とのうち前記第一の端部に寄せられ、外部機器が着脱可能である。前記第二のコネクタは、前記第一の端部と前記第二の端部とのうち前記第二の端部に寄せられ、無線通信装置が着脱可能である。
【図面の簡単な説明】
【０００７】
【図１】図１は、第１実施形態にかかるテレビジョン受像機の一例が示された正面図である。
【図２】図２は、第１実施形態にかかるテレビジョン受像機の一例が示された正面側から見た斜視図である。
【図３】図３は、第１実施形態にかかるテレビジョン受像機の一例が示された背面図である。
【図４】図４は、第１実施形態にかかるテレビジョン受像機の一例が示された側面図であって、支持部が開かれた状態の図である。
【図５】図５は、第１実施形態にかかるテレビジョン受像機の一例が示された側面図であって、支持部が閉じられた状態の図である。
【図６】図６は、第１実施形態にかかるテレビジョン受像機の第一の支持部を含む一部の一例が示された正面側から見た斜視図である。
【図７】図７は、第１実施形態にかかるテレビジョン受像機の第一の支持部を含む一部の一例が示された背面側かつ下方側から見た斜視図である。
【図８】図８は、第１実施形態にかかるテレビジョン受像機の第一の支持部の内部構造の一例が示された斜視図である。
【図９】図９は、第１実施形態にかかるテレビジョン受像機の第一の支持部を含む一部の一例が示された背面側かつ下方側から見た分解斜視図である。
【図１０】図１０は、第１実施形態にかかるテレビジョン受像機の第二の支持部を含む一部の一例が示された背面側かつ下方側から見た斜視図である。
【図１１】図１１は、第１実施形態にかかるテレビジョン受像機の一部の一例が示された正面図である。
【図１２】図１２は、第１実施形態にかかるテレビジョン受像機の筐体内の一例が示された背面図である。
【図１３】図１３は、第１実施形態にかかるテレビジョン受像機の筐体内の一例が示された背面図であって、カバーが取り外された状態を示す図である。
【図１４】図１４は、第１実施形態にかかるテレビジョン受像機の筐体内の一部の一例が示された背面図である。
【図１５】図１５は、図１４のXV矢視図である。
【図１６】図１６は、第１実施形態にかかるテレビジョン受像機の筐体の一部の一例が示された背面図である。
【図１７】図１７は、第１実施形態にかかるテレビジョン受像機の蓋の一例が示された正面側から見た斜視図である。
【図１８】図１８は、第１実施形態にかかるテレビジョン受像機の筐体の収容部が設けられた部分の蓋が外された状態の一例が示された斜視図である。
【図１９】図１９は、第１実施形態にかかるテレビジョン受像機で用いられるバッテリの一例が示された斜視図である。
【図２０】図２０は、第１実施形態にかかるテレビジョン受像機の筐体の収容部が設けられた部分、バッテリ、ならびに蓋の一例が示された分解斜視図である。
【図２１】図２１は、図３のXXI−XXI断面の一例が示された斜視図である。
【図２２】図２２は、第１実施形態にかかるテレビジョン受像機の筐体の収容部にバッテリが収容される状態の一例が示された模式的な断面図である。
【発明を実施するための形態】
【０００８】
以下の例示的な実施形態には、同様の構成要素が含まれている。よって、以下では、同様の構成要素には共通の符号が付されるとともに、重複する説明が省略される。また、各図では、便宜上、方向（Ｘ方向、Ｙ方向、Ｚ方向）が示されている。Ｘ方向は、表示画面４ａに対する正面視での長手方向、Ｙ方向は、表示画面４ａに対する正面視での短手方向、Ｚ方向は表示画面４ａに対する正面視での前後方向（奥行方向、筐体３の厚さ方向）である。Ｘ方向、Ｙ方向、およびＺ方向は、相互に直交している。
【０００９】
また、以下の実施形態では、電子機器がテレビジョン受像機またはパーソナルコンピュータとして構成された場合が例示されるが、本実施形態にかかる電子機器は、これらには限定されない。本実施形態にかかる電子機器は、例えば、スマートフォンや、スマートブック、携帯電話機、ＰＤＡ（personal  digital  assistant）、映像表示装置、テレビ電話機等の種々の電子機器として構成することができる。
【００１０】
本実施形態にかかる電子機器の一例であるテレビジョン受像機１は、図１〜５に示されるように、支持部２Ｆｒ，２Ｒｒ（支部、台、スタンド）と、筐体３と、を備える。支持部２Ｆｒ，２Ｒｒは、机や、棚、台等の載置部（図示されず）上に載置され、筐体３を支持する。
【００１１】
筐体３は、図１に示されるように、正面視では四角形状（本実施形態では一例として長方形状）に構成されている。また、筐体３は、図１〜５に示されるように、前後方向に薄い扁平な直方体状に構成されている。筐体３は、前面３ａ（正面、面、面部、前面部）とこの反対側の後面３ｂ（背面、面、面部、後面部）と、を有する。前面３ａは、第一の前面の一例である。また、筐体３は、図１に示されるように、正面視では、四つの端部３ｃ〜３ｆ（辺部、縁部）と、四つの角部３ｇ〜３ｊ（尖部、曲部、端部）と、を有する。端部３ｃ，３ｅは、筐体３および表示装置４の短手方向の両端部であって、長辺部の一例である。また、端部３ｄ，３ｆは、筐体３および表示装置４（表示画面４ａ）の長手方向の両端部であって、短辺部の一例である。筐体３は、支持部２Ｆｒ，２Ｒｒによって、起立された状態（姿勢）に支持される。
【００１２】
また、筐体３は、前面３ａ１を有する壁部３ｋ（部分、プレート、フレーム、ベゼル、前壁部、表壁部、天壁部）と、後面３ｂを有する壁部３ｍ（部分、プレート、後壁部、裏壁部、底壁部）と、を有する。前面３ａ１は、筐体３の前面３ａの一部を構成している。前面３ａ１は後面３ｂと略並行している。壁部３ｋ，３ｍは、四角形状（本実施形態では一例として長方形状）である。また、筐体３は、壁部３ｋと壁部３ｍとの間に亘った亘面３ｐ（周面、面、面部）を有する四つの壁部３ｎ（部分、プレート、側壁部、端壁部、立壁部、亘部）を有する。亘面３ｐの少なくとも一部は、筐体３の側面を構成している。そして、壁部３ｋには、四角形状（本実施形態では一例として長方形状）の開口部３ｒが設けられている。つまり、前面３ａには開口部３ｒが設けられている。開口部３ｒは、第一の開口部の一例である。
【００１３】
さらに、筐体３は、複数の部品（分割体、部材）が組み合わせられて構成されることができる。筐体３は、一例としては、少なくとも壁部３ｍを含む第一の部材３Ｒｒ（第一の部分、後側部材、ベース、ボトム、バックカバー、カバー、筐体、第一の筐体構成部材、覆い、外壁、補強部、支持部）と、少なくとも壁部３ｎを含む第二の部材３Ｍｄ（第二の部分、中間部材、フレーム、ミドルフレーム、ミドルカバー、ミドルフレーム部材、筐体、第二の筐体構成部材、補強部、実装部、支持部、サポート）と、少なくとも壁部３ｋを含む第三の部材３Ｆｒ（第三の部分、前側部材、ベゼル、フロントカバー、マスク部材、筐体、第三の筐体構成部材、覆い、カバー、外壁、補強部、支持部）と、を有する。筐体３は、合成樹脂材料や、金属材料等で構成されることができる。また、第二の部材３Ｍｄは、第三の部材３Ｆｒより高い剛性を有するとともに、第三の部材３Ｆｒより大きな外縁寸法を有する。
【００１４】
また、本実施形態では、一例として、図１に示されるように、第三の部材３Ｆｒの壁部３ｋは、四角形状（例えば長方形状）の枠状かつ板状に形成され、表示装置４の周縁部（外周部分）を覆っている。表示装置４の周縁部は、表示装置４の長辺部および短辺部を含む。表示装置４の周縁部は、背面視で四角形状である。表示装置４の周縁部筐体３内には、表示装置４（表示部、ディスプレイ、パネル）が収容されている。表示装置４の、前面３ａ側に位置した表示画面４ａは、開口部３ｒを介して筐体３の前方（外方）に露出しており、使用者は、前方側から開口部３ｒを介して表示画面４ａを視認することができる。つまり、表示装置４の表示画面４ａは、開口部３ｒにより露出されている。表示装置４は、正面視では四角形状（本実施形態では一例として長方形状）に構成されている。また、表示装置４は、前後方向に薄い扁平な直方体状に構成されている。表示装置４は、例えば、液晶ディスプレイ（ＬＣＤ，liquid  crystal  display）や有機ＥＬディスプレイ（ＯＥＬＤ，organic  electro-luminescent  display）等である。また、本実施形態では、一例として、表示装置４は、第二の部材３Ｍｄに取り付けられている。表示装置４の第二の部材３Ｍｄへの取り付けには、結合具（例えばねじ等）やブラケット（金具）等（いずれも図示されず）が用いられうる。
【００１５】
また、表示装置４の前側（表側、壁部３ｋ側）には、透明な比較的薄い四角形状（本実施形態では一例として長方形状）の入力操作パネル５（一例としてはタッチパネル、タッチセンサ、操作面）が設けられている。入力操作パネル５は、表示画面４ａを覆っている。操作者（ユーザ等）は、例えば手指やスタイラス等によって、入力操作パネル５に対して、触れる、押す、擦る、あるいは入力操作パネル５の近傍で動かす等の操作を行うことで、入力処理を実行することができる。また、表示装置４の表示画面４ａから出た光は、入力操作パネル５を通過して壁部３ｋの開口部３ｒから筐体３の前方（外方）へ出る。入力操作パネル５は、入力部の一例である。
【００１６】
また、本実施形態では、一例として、図１に示されるように、第二の部材３Ｍｄは、正面視で四角枠状（環状）に構成されている。第二の部材３Ｍｄは、正面視では、四つの端部３ｑ〜３ｔ（辺部、縁部）を有する。端部３ｑ〜３ｔは、第二の部材３Ｍｄの素材部分である。端部３ｑ，３ｓは、第二の部材３Ｍｄおよび表示装置４（表示画面４ａ）の短手方向の両端部であって、長辺部の一例である。端部３ｑ，３ｓは、表示装置４の長手方向に延在した形状である。第二の部材３Ｍｄまた、端部３ｒ，３ｔは、第二の部材３Ｍｄおよび表示装置４（表示画面４ａ）の長手方向の両端部であって、短辺部の一例である。端部３ｒ，３ｔは、表示装置４の短手方向に延在した形状である。また、一例として、端部３ｒ，３ｔは、表示装置４が取り付けられる部分（実装される部分）である。四つの端部３ｑ〜３ｔの接続部（接合部）は、湾曲している。つまり、端部３ｑ〜３ｔは、湾曲した部分を含む。したがって、端部３ｄ，３ｆは、表示装置４が取り付けられる部分（実装される部分）である。そして、四つの端部３ｃ〜３ｆの接続部（接合部）は、湾曲しており、端部３ｃ〜３ｆは、湾曲した部分を含む。また、本実施形態では、一例として、図１に示されるように、第二の部材３Ｍｄが第三の部材３Ｆｒを取り囲んでいる。そして、少なくとも正面側から見える範囲では、第三の部材３Ｆｒと第二の部材３Ｍｄとで、色や、光沢の度合い、表面性状、凹凸状態、面粗度等が相違し、外観上、第三の部材３Ｆｒと第二の部材３Ｍｄとが区別されやすい。また、上方（上方）および側方（左右両側）端部３ｃ，３ｄ，３ｆでは、正面視での第二の部材３Ｍｄの幅は、第三の部材３Ｆｒの幅より狭い。
【００１７】
また、本実施形態では、一例として、図４，５に示されるように、壁部３ｎのうち、表示装置４の長手方向両端側に位置する壁部３ｎ１（側壁部）は、第二の部材３Ｍｄに含まれる前部３１ａ（部分、領域、壁部）と、第一の部材３Ｒｒに含まれる後部３１ｂ（部分、領域、壁部）と、を含んでいる。前部３１ａは、上側に向けて細くなる（尖る）三角形状に形成されている。すなわち、前部３１ａの幅は、筐体３の端部３ｅ側（一端部側、下側）からその反対側の端部３ｃ側（他端部側、上側）へ向かうにつれて、徐々に狭く（小さく、細く）なっている。前部３１ａの表示画面４ａとは反対側（後方側、図４，５で右側）の縁部３１ｃは、直線状に形成されている。また、後部３１ｂ（第二の壁部）は、縁部３１ｃと合わさる縁部３１ｄから表示画面４ａとは反対側（後方側、図４，５で左側から右側）に向かうにつれて、表示画面４ａの正面視での中央部側へ向かっている。本実施形態では、一例として、筐体３の壁部３ｍが、後方側へ向けて凸となる状態に膨らんでおり（湾曲しており）、この壁部３ｍの長手方向の両端部に位置した部分（縁部）が、壁部３ｎ１の後部３１ｂとして構成されている。
【００１８】
また、本実施形態では、一例として、図１，２，４，５に示されるように、壁部３ｎのうち、表示装置４の短手方向の一端側（下端側）に位置する壁部３ｎ２は、第二の部材３Ｍｄの一部として構成されている。亘面３ｐのうち壁部３ｎ２に設けられた部分の少なくとも一部は、壁部３ｎ２の前面３ａ２（表面）を構成している。壁部３ｎ２の前面３ａ２は、筐体３の前面３ａの一部であり、壁部３ｋの前面３ａ１とともに筐体３の前面３ａを構成している。壁部３ｎ２は、後方側（背面側、背後側、表示画面４ａとは反対側、図４，５の右側）から前方側（正面側、表示画面４ａ側、図４，５の左側）へ向かうにつれて表示画面４ａに対する正面視で離れた側（下方側）から近い側（上方側）へ向かっている。すなわち、壁部３ｎ２（の前面３ａ２）は、表示画面４ａに沿う方向ならびに表示画面４ａの法線方向に対して傾斜している。前面３ａ２は、表示画面４ａに対して傾斜した傾斜面の一例である。
【００１９】
また、本実施形態では、一例として、図４〜７に示されるように、壁部３ｎに、溝３１ｅ（溝部、凹部）が設けられている。溝３１ｅは、第一の部材３Ｒｒと第二の部材３Ｍｄとの境界線３１ｉ（境界部、境界、図７参照）に沿って延在している。溝３１ｅは、底面３１ｆ（底部、底、面、部分）と、底面３１ｆから延出した一対の対向面３１ｇ，３１ｈと、を有する。底面３１ｆおよび一方の対向面３１ｇは、第一の部材３Ｒｒに設けられている。他方の対向面３１ｈは、第二の部材３Ｍｄに設けられている。境界線３１ｉ（図７）は、溝３１ｅに位置されている。本実施形態では、一例として、境界線３１ｉは、底面３１ｆと対向面３１ｇとの境界（境界部）に設けられている。
【００２０】
また、本実施形態では、一例として、図１に示されるように、第一の支持部２Ｆｒは、表示画面４ａの短手方向の筐体３の端部３ｅ（一端部、長辺部、下辺部）に設けられ、筐体３を支持している。詳細には、二つの第一の支持部２Ｆｒは、表示画面４ａの長手方向（端部３ｅの延在方向）に相互に間隔をあけて位置され、表示画面４ａの短手方向の筐体３の端部３ｅ（一端部、長辺部、下辺部）から突出し、筐体３を支持している。二つの第一の支持部２Ｆｒは、筐体３の短手方向（Ｙ方向、表示画面４ａの短手方向）側の端部３ｅ（一端部、長辺部、下辺部）の、長手方向（Ｘ方向、表示画面４ａの長手方向、左右方向）の両端部（角部３ｈ，３ｉ）より中央部側に寄った位置から下方（端部３ｃとは反対方向）に向けて突出している。また、本実施形態では、一例として、図１〜５に示されるように、第二の支持部２Ｒｒは、二つの第一の支持部２Ｆｒと離間して第一の部材３Ｒｒから突出している。また、第二の支持部２Ｒｒは、表示画面４ａに対する正面視では二つの第一の支持部２Ｆｒの間となる位置で突出し、二つの第一の支持部２Ｆｒとともに筐体３を三点で支持している。
【００２１】
また、本実施形態では、一例として、図４に示されるように、第一の支持部２Ｆｒは、前部３１ａの表示画面４ａとは反対側（後方側、図４で右側）の縁部３１ｃに沿った方向に突出している。
【００２２】
また、本実施形態では、一例として、図１〜４，６に示されるように、第一の支持部２Ｆｒは、先細りの形状を有している。すなわち、第一の支持部２Ｆｒは、根元側から先端側に向かうにつれて細くなっている。さらに、本実施形態では、一例として、図６，７から明らかとなるように、第一の支持部２Ｆｒの前面２１ａ、後面２１ｂ、ならびに二つの側面２１ｃは、それぞれ外側に向けて凸となる状態に膨らんでいる。また、前面２１ａおよび二つの側面２１ｃの中央部には、第一の支持部２Ｆｒの根元側と先端側とに亘る稜線２１ｄが設けられている。前面２１ａおよび二つの側面２１ｃでは、稜線２１ｄの部分が他の部分より突出している。前面２１ａは、第二の前面の一例である。
【００２３】
また、本実施形態では、一例として、図９に示されるように、第一の支持部２Ｆｒは、第二の部材３Ｍｄに設けられた突出部２１ｅ（第一の突出部）と、第一の部材３Ｒｒに設けられた突出部２１ｆ（第三の突出部）とを有している。具体的に、突出部２１ｅは、第二の部材３Ｍｄの端部３ｅから下方（端部３ｃとは反対側）に突出するとともに、縁部３１ｃより後方（表示画面４ａとは反対側）にも突出している。突出部２１ｅは、縁部３１ｃよりも表示画面４ａとは反対側（後方側）に位置された第一の部分２１ｇを有する。突出部２１ｅは、突形状（凸状、突起状）である。突出部２１ｅの基部（根元部）と先端部とのうち基部が、スピーカ３８の近くに位置している。また、突出部２１ｆは、第一の部材３Ｒｒの壁部３ｍ（後壁）および壁部３ｎ（側壁）から突出部２１ｅに沿って下方に向けて突出している。突出部２１ｆは、突形状（凸状、突起状）である。突出部２１ｆの基部（根元部）と先端部とのうち基部が、スピーカ３８の近くに位置している。また、第一の部材３Ｒｒには、突出部２１ｅのうち縁部３１ｃより後方側に位置する第一の部分２１ｇを受け入れる切欠部２１ｈが設けられている。すなわち、第一の部材３Ｒｒのうち、切欠部２１ｈに隣接した第二の部分２１ｉは、第一の部分２１ｇの先端部とは反対側に位置して、当該第一の部分２１ｇと接触する。このような構成の突出部２１ｅと突出部２１ｆとが前後方向に重ねられ、一体化されて、第一の支持部２Ｆｒが構成される。なお、突出部２１ｆには、開口部２１ｊが設けられ、突出部２１ｅには、開口部２１ｊを通された結合具（例えばねじ等、図示されず）が結合される結合部２１ｋ（例えば雌ねじ孔）が設けられる。すなわち、突出部２１ｅと突出部２１ｆは、結合具によって結合される。開口部２１ｊの縁部には凹部２１ｍが設けられている。凹部２１ｍには、キャップ２１ｎ（図３，７等参照）が嵌められ、このキャップ２１ｎにより、凹部２１ｍならびに開口部２１ｊが覆われている。キャップ２１ｎは、エラストマ等の弾性かつ可撓性を有した材料で構成される。
【００２４】
また、本実施形態では、一例として、図８，９に示されるように、突出部２１ｅと突出部２１ｆとの間には、可撓性および弾性を有する弾性部材３５が挟まれている。弾性部材３５は、突出部２１ｅに設けられた凹部２１ｐと突出部２１ｆに設けられた凹部２１ｒとに収容される。弾性部材３５は、第一の支持部２Ｆｒの先端側（下方側）に露出（突出）している。また、図８に示されるように、弾性部材３５の根元側（上側）には、可撓性を有する緩衝部材３６が位置されている。緩衝部材３６は、弾性部材３５と第一の支持部２Ｆｒとの間に介在している。弾性部材３５は、一例としては、エラストマ等で構成される。緩衝部材３６は、一例としては、合成樹脂材料の発泡材料等で構成される。
【００２５】
また、本実施形態では、一例として、図１，３，１０に示されるように、第二の支持部２Ｒｒは、筐体３（表示装置４）の長手方向に幅を持つ四角形状（例えば長方形状）かつ板状の外観を呈している。また、図１０に示されるように、端部２２ａは、筐体３（表示装置４）の長手方向に沿って細長く延びた面状に形成されている。端部２２ａには、端部２２ａの長手方向に沿って延びた弾性部材２２ｂが設けられている。弾性部材２２ｂは、端部２２ａから先端側（下方側）に突出している。
【００２６】
また、本実施形態では、一例として、図４，５に示されるように、第二の支持部２Ｒｒは、筐体３の壁部３ｍに、回動可能に支持されている。第二の支持部２Ｒｒは、図３〜５に示される回動軸Ａｘ周りに回動可能に連結された二つの部品を有したヒンジ機構（図示されず）を介して、壁部３ｍに接続されている。回動軸Ａｘは、壁部３ｍの中央部ならびに第二の支持部２Ｒｒの端部２２ａとは反対側の端部２２ｃに位置されるとともに、端部２２ａ（筐体３および表示装置４の長手方向、左右方向）ならびに壁部３ｍの後面３ｂに沿って延びている。図４には、第二の支持部２Ｒｒが突出した状態（展開状態）が示され、図５には、第二の支持部２Ｒｒが引っ込んだ状態（折りたたみ状態）が示されている。図４から明らかとなるように、第二の支持部２Ｒｒが展開されて、第一の支持部２Ｆｒおよび第二の支持部２Ｒｒによって筐体３が起立された姿勢で支持された状態では、第一の支持部２Ｆｒは、上方から下方へ向かうにつれて後方から前方へ向かい、第二の支持部２Ｒｒは、上方から下方へ向かうにつれて前方から後方へ向かう。
【００２７】
また、図１，１１に示されるように、壁部３ｎ２には、開口部３２ａ，３２ｂが設けられている。すなわち、壁部３ｎ２の前面３ａ２（傾斜面）には、開口部３２ａ，３２ｂが設けられている。開口部３２ｂは、第二の開口部の一例である。開口部３２ａは、表示画面４ａの長手方向に相互に間隔をあけて二つ設けられている。開口部３２ａは、複数の小孔３２ｃ（孔、貫通孔、図６参照）を含んでいる。開口部３２ａの設けられた領域の背後には、スピーカ３８（図１４参照、収容部品）が設けられており、このスピーカ３８の音声（音）が、開口部３２ａ（小孔３２ｃ）を通じて出力される。なお、図１４には、一方の第３の開口部３２ａに対応して設けられたスピーカ３８が示されている。このように、前面３ａ２には、音を放出する複数の小孔３２ｃが設けられている。小孔３２ｃは、第三の開口部の一例である。複数の小孔３２ｃを有した領域としての開口部３２ａは、図１に示されるように、正面視での左側と右側に、端部３ｅに沿って延びた長孔状に形成されている。開口部３２ａの長さは、端部３ｅの長さの約１／３である。開口部３２ｂは、前面３ａ（前面３ａ１）における複数の小孔３２ｃが設けられた領域としての開口部３２ａ内に設けられている。また、開口部３２ｂは、開口部３２ａ（領域）の、表示画面４ａの長手方向の一端部３２ｄに寄せて位置されている。開口部３２ｂは、端部３ｆと端部３ｄとのうち端部３ｄに寄せて位置されている。
【００２８】
また、本実施形態では、図１，１１に示されるように、開口部３２ｂからは、一例としては、スイッチ３９（収容部品）の操作子３３と、通信部３７（一例としては赤外線受信部、収容部品）のカバー３４とが、露出されている。カバー３４は、操作子３３とは異なる別の部品の一例である。このように、開口部３２ｂは、操作子３３と操作子３３とは異なる別の部品としてのカバー３４を露出させている。操作子３３は、操作部の一例である。スイッチ３９は、一例としては、操作子３３を押圧するたびにオンとオフとが切り替わる所謂プッシュ−プッシュ式の押しボタンスイッチとして構成されうる。操作子３３は、前面３ａ２に対して略垂直な方向（図４に示された矢印Ｆの方向）に沿って押圧操作される。スイッチ３９は、一例として電源スイッチとして構成されうる。操作子３３（の表面）には、一例として、電源スイッチである旨を示す印が設けられている。なお、操作子３３は、スイッチ３９に設けられるものに限るものではなく、例えば表示画面４ａの明るさ等を調整する調整器に設けられるものであってもよい。また、通信部３７は、一例としては、赤外線（赤外光）の受光部として構成されうる。開口部３２ｂは、前面３ａ（前面３ａ２）における、表示画面４ａの短手方向で一方の第一の支持部２Ｆｒの筐体３側に位置された部分３ａ３（第一部分、第一領域、領域）に設けられている。つまり、開口部３２ｂは、一方の第一の支持部２Ｆｒの上方に位置されており、これにより、操作子３３およびカバー３４も、一方の第一の支持部２Ｆｒの上方に位置されている。
【００２９】
なお、開口部３２ｂの位置は上述の位置に限るものではない。例えば、開口部３２ｂが前面２１ａに設けられていて、当該開口部３２ｂから操作子３３が露出されていてもよい。さらには、開口部３２ｂが表示画面４ａの短手方向で第一の支持部２Ｆｒ間の筐体３側に位置された部分３ａ４に設けられて、当該開口部３２ｂから操作子３３が露出されていてもよい。また、開口部３２ｂは、表示画面４ａの長手方向の中心を通る（仮想の）中心線に対して線対称に位置した一対の第一の支持部２Ｆｒの間に位置していてもよい。別の言い方をすると、第一の支持部２Ｆｒの、表示画面４ａの長手方向での中心線よりも、筐体３の、表示画面４ａの長手方向での中心線側に偏心して位置されていてもよい。以上からわかるとおり、操作子３３を露出させる開口部３２ｂは、前面３ａの部分３ａ３と、前面３ａにおける、表示画面４ａの短手方向で第一の支持部２Ｆｒ間の筐体３側に位置された部分３ａ４と、前面２１ａとのいずれかに設けられていてよい。
【００３０】
また、本実施形態では、一例として、図１，１１に示されるように、操作子３３は、表示画面４ａの短手方向で一方の第一の支持部２Ｆｒ（一例として、図１の右側の第一の支持部２Ｆｒ）と表示画面４ａとの間に位置されている。また、本実施形態では、一例として、操作子３３は、第一の支持部２Ｆｒより前方（表示画面４ａ側）に位置されている。また、本実施形態では、一例として、操作子３３は、第二の部材３Ｍｄに取り付けられている。一例として、操作子３３は、スイッチ３９とともに、連結部材を介して第二の部材３Ｍｄに取り付けられている。また、本実施形態では、一例として、操作子３３は、表示画面４ａの長手方向でカバー３４（別の部品）よりも開口部３ｒ（第一の開口部）の中心側に位置されている。
【００３１】
また、本実施形態では、一例として、図１４に示されるように、筐体３内には、回路基板４０（基板、収容部品）が収容されている。回路基板４０の前面（実装面、一面、面）には、操作子３３が設けられたスイッチ３９（一例として電源スイッチ）と、通信部３７とが実装されている。また、回路基板４０の後面４０ａ（他面、面）にはコネクタ４５が設けられている。回路基板４０は、支持部材４３（取付部材、介在部材、板金部材）を介して第二の部材３Ｍｄに取り付けられている。回路基板４０（の前面および後面４０ａ）は、前面３ａ２（傾斜面）に沿って位置されており、表示画面４ａに対して傾斜している。一例として、回路基板４０は、結合具４４（ねじ）によって第二の部材３Ｍｄに取り付けられ、支持部材４３は、結合具４４（ねじ）によって第二の部材３Ｍｄに取り付けられている。支持部材４３は、基部４３ａと、基部４３ａから延出した板部４３ｂ（取付部）とを有しており、板部４３ｂに回路基板４０が取り付けられている。板部４３ｂ（の一部）は、第二の部材３Ｍｄと回路基板４０との間に位置されている。また、支持部材４３は、一例として、係部（支持部、アーム、図示されず）によって操作子３３を変位可能（往復動可能、進退可能、操作可能）に支持している。また、一例として、支持部材４３は、第二の部材３Ｍｄに設けられた係部（爪）３ｘと係っている。回路基板４０は、開口部３２ｂの後方（背面側）に位置されている。回路基板４０は、第一の支持部２Ｆｒの上方且つ表示装置４の下方に位置されている。つまり、回路基板４０は、第一の支持部２Ｆｒと表示装置４との間に位置されている。回路基板４０は、表示画面４ａの長手方向でスピーカ３８と並んで位置されている。スピーカ３８は、結合具４４（ねじ）によって第二の部材３Ｍｄに取り付けられている。スピーカ３８の一端部３８ａ（上端部、端部、縁部）は、表示装置４の後方に位置されている。
【００３２】
また、本実施形態では、一例として、図１２，１３に示されるように、筐体３内には、表示装置４の後側（裏側、背後側、壁部３ｍ側、表示画面４ａとは反対側）に、回路基板４０とは別の回路基板６１（基板、制御基板、メイン基板、収容部品）が収容されている。回路基板６１は、表示装置４に重ねて設けられている。回路基板６１の後側（裏側、背後側、壁部３ｍ側、表示画面４ａとは反対側）の少なくとも一部は、カバー６２（図１２）で覆われている。カバー６２は、例えばねじ等の固定具によって、回路基板６１または筐体３に固定されている。回路基板６１は、壁部３ｋ，３ｍ，３ｎ等と離間した状態で、すなわち、壁部３ｋ，３ｍ，３ｎ等との間に隙間を有した状態で、設けられている。本実施形態では、一例として、表示装置４の後側（裏側、背後側、壁部３ｍ側、表示画面４ａとは反対側）は、壁部６３（壁部材、壁、板部材、シールド部材、遮蔽部材）で覆われている。つまり、壁部６３は、表示装置４の表示画面４ａとは反対側に位置されている。壁部６３は、表示装置４と第一の部材３Ｒｒとの間に位置されている。回路基板６１は、例えばねじ等の固定具によって、表示装置４または筐体３に固定されている。なお、回路基板６１は、一例として、壁部６３を介して表示装置４に固定されていてよい。回路基板６１は、端部３ｒ（３ｄ）と端部３ｔ（端部３ｆ）とのうち端部３ｔ（端部３ｆ）に寄せられている。回路基板６１は、第一の回路基板の一例である。
【００３３】
また、本実施形態では、一例として、図１３に示されるように、回路基板６１には、ＣＰＵ６４（central  processing  unit）や、グラフィックコントローラ６５、ＰＣＨ６６（platform  controller  hub）、記憶装置６７、コネクタ６８（第一のコネクタ、電気部品、電子部品、接続部、接合部、導通部、接続部品、部品）等の複数の電子部品（部品、素子）が実装されている。電子部品には、発熱体が含まれる。発熱量の大きな電子部品（発熱体）としてのＣＰＵ６４およびグラフィックコントローラ６５には、冷却機構６９（放熱部、受熱部）が設けられている。冷却機構６９は、ヒートパイプ６９ａ、放熱板６９ｂおよび冷却ファン６９ｃを有する。回路基板６１および当該回路基板６１に実装された電子部品によって、制御回路（図示されず）の少なくとも一部が構成されている。制御回路は、例えば、映像信号処理回路や、チューナ部、ＨＤＭＩ（high-definition  multimedia  interface）信号処理部、ＡＶ（audio  video）入力端子、リモコン信号受信部、制御部、セレクタ、オンスクリーンディスプレイインタフェース、記憶部（例えば、ＲＯＭ（read  only  memory）、ＲＡＭ（random  access  memory）、ＨＤＤ（hard  disk  drive）等）、音声信号処理回路等を、含むことができる。図１３等には、記憶部の一例としてＨＤＤ４１（電子部品、収容部品）が示されている。制御回路は、表示装置４の表示画面４ａでの映像（動画や静止画等）の出力や、スピーカ３８での音声の出力、ＬＥＤ（light  emitting  diode、図示されず）での発光等を制御する。表示装置４や、スピーカ３８、ＬＥＤ等は、出力部の一例である。
【００３４】
コネクタ６８は、一例として、ＵＳＢ（universal  serial  bus）規格のコネクタである。コネクタ６８は、一例として、端部３ｒ（端部３ｄ）と端部３ｔ（端部３ｆ）とのうち端部３ｔ（端部３ｆ）に寄せられている。ここで、端部３ｔ（、および（端部３ｆ）は、第一の端部の一例であり、端部３ｒ（端部３ｄ）は、第一の端部の反対側の第二の端部の一例である。コネクタ６８は、端部３ｒ（端部３ｄ）と端部３ｔ（端部３ｆ）とのうち端部３ｔ（端部３ｆ）に近い位置に位置されている。コネクタ６８は、二つの第一の支持部２Ｆｒのうち一方（筐体３の背面視で右側）の第一の支持部２Ｆｒに近い位置に位置されている。コネクタ６８は、一方（筐体３の背面視で右側）の第一の支持部２Ｆｒの近傍に位置されている。コネクタ６８は、記憶装置６７の近傍に位置されている。コネクタ６８は、ＨＤＤ４１より記憶装置６７の近くに位置されている。コネクタ６８は、第三の部材３Ｆｒに設けられた開口部３ｕ（図３参照）から露出されている。コネクタ６８は、一例として、データ通信用である。コネクタ６８は、外部機器８０が着脱可能である。外部機器８０としては、例えば、記憶装置等である。
【００３５】
また、本実施形態では、図１３，１４に示されるように、ＨＤＤ４１（電子部品）は、一例として、表示装置４の後側（裏側、背後側、壁部３ｍ側、表示画面４ａとは反対側）の位置で筐体３に収容されている。ＨＤＤ４１は、一例として、スピーカ３８の上方（筐体３の端部３ｃ側）に位置され、結合具４４（ねじ）によって、壁部６３に結合（固定）されている。ＨＤＤ４１は、一例として、端部３ｒ（端部３ｄ）と端部３ｔ（端部３ｆ）とのうち端部３ｒ（端部３ｄ）に寄せられている。ＨＤＤ４１は、端部３ｒ（端部３ｄ）と端部３ｔ（端部３ｆ）とのうち端部３ｒ（端部３ｄ）に近い位置に位置されている。ＨＤＤ４１は、コネクタ６８とコネクタ７０との間に位置されている。ＨＤＤ４１は、コネクタ６８とコネクタ７０とのうちコネクタ７０に寄せられている。ＨＤＤ４１は、コネクタ６８よりコネクタ７０の近くに位置されている。ＨＤＤ４１は、コネクタ７０の近傍に位置されている。ＨＤＤ４１は、二つの第一の支持部２Ｆｒのうち他方（筐体３の背面視で左側）の第一の支持部２Ｆｒに近い位置に位置されている。コネクタ６８は、他方（筐体３の背面視で左側）の第一の支持部２Ｆｒの近傍に位置されている。ＨＤＤ４１は、一対のスピーカ３８のうち一方（筐体３の背面視で左側）のスピーカ３８と隣り合っている（接している）。ＨＤＤ４１は、ハードディスクを収容した筐体４１ａを有している。筐体４１ａは、電磁波遮蔽性を有している。筐体４１ａは、一例として金属製である。
【００３６】
また、本実施形態では、ＨＤＤ４１の周囲には、回路基板４２（基板、収容部品）が位置されている。回路基板４２には、無線通信装置７１（電子機器、レシーバ、部品、モジュール、アンテナ、通信部、装置、図１４参照）用のコネクタ７０（第二のコネクタ、電気部品、電子部品、接続部、接合部、導通部、接続部品、部品）が実装されている。コネクタ７０は、第二のコネクタの一例であり、回路基板４２は、第二の回路基板の一例である。回路基板４２は、背面視で四角形状に構成されている。回路基板４２は、回路基板６１よりも大きさが小さい。回路基板４２およびコネクタ７０は、表示装置４の後側（裏側、背後側、壁部３ｍ側、表示画面４ａとは反対側）の位置で筐体３に収容されている。一例として、回路基板４２およびコネクタ７０は、回路基板４０の上方（筐体３の端部３ｃ側）に位置されている。また、一例として、回路基板４２およびコネクタ７０は、端部３ｒ（３ｄ）と端部３ｔ（端部３ｆ）とのうち端部３ｒ（端部３ｄ）に寄せられている。回路基板４２およびコネクタ７０は、端部３ｒ（３ｄ）と端部３ｔ（端部３ｆ）とのうち端部３ｒ（端部３ｄ）に近い位置に位置されている。回路基板４２およびコネクタ７０は、二つの第一の支持部２Ｆｒのうち他方（筐体３の背面視で左側）の第一の支持部２Ｆｒに近い位置に位置されている。回路基板４２およびコネクタ７０は、他方（筐体３の背面視で左側）の第一の支持部２Ｆｒの近傍に位置されている。回路基板４２およびコネクタ７０は、ＨＤＤ４１の近傍に位置されている。回路基板４２およびコネクタ７０は、記憶装置６７よりＨＤＤ４１の近くに位置されている。回路基板４２は、結合具４４（ねじ）によって、一例として、壁部６３の表示装置４とは反対側で壁部６３に取り付けられている（固定されている）。
【００３７】
また、本実施形態では、図１５に示されるように、回路基板４２と壁部６３との間には、ボス７２が設けられており、回路基板４２は、壁部６３から離されている。回路基板４２と壁部６３との間には、空間Ｓが設けられている。この空間Ｓには、配線７３が位置されている。配線７３の端部には、コネクタ７４が設けられており、このコネクタ７４は、一例として、表示装置４に接続されている。
【００３８】
コネクタ７０（ドングルコネクタ）は、無線通信装置７１が着脱可能である。コネクタ７０の装着口７０ａ（開口部、挿入口、図１５）は、下方に開口しており、第三の部材３Ｆｒに設けられた開口部３ｖ（図１６）から露出されている。したがって、コネクタ７０は、下方から無線通信装置７１を装着可能となっている。
【００３９】
無線通信装置７１は、一例としてドングルである。無線通信装置７１は、図１６に示されるように、アンテナを内蔵した本体部７１ａとコネクタ７０に係る係部７１ｂとを有し、外部機器に設けられた無線通信部と無線通信を行う。この外部機器は、例えば、ワイヤレスキーボードやワイヤレスマウス等の無線入力操作部である。無線通信は、一例として、赤外線を用いて行われる。また、図１４に示されるように、コネクタ７０に取り付けられた無線通信装置７１の少なくとも一部（本体部７１ａ）は、表示装置４の厚さ方向の視線で表示装置４から外れた位置に位置されている。
【００４０】
図１６に示されるように、筐体３の角部３ｈ、詳細には第一の部材３Ｒｒの角部３ｚには、収容部３ｙが設けられている。収容部３ｙは、コネクタ７０に取り付けられる無線通信装置７１を収容する。収容部３ｙは、凹状に構成されて、後方に開口している。収容部３ｙには、底部３ｙ１（壁部、前壁部）と底部３ｙ１から後方に延出した周壁部３ｙ２が設けられている。底部３ｙ１には、複数のリブ３ｙ３（補強部）が設けられている。周壁部３ｙ２は、上壁３ｙ４（壁、壁部）と、側壁３ｙ５（第一の側壁、壁、壁部、）と、側壁３ｙ８（第二の側壁、壁、壁部）と、下壁３ｙ６（壁、壁部）と、を有している。上壁３ｙ４には、開口部３ｖが設けられている。また、側壁３ｙ５には、係部３ｙ７が設けられている。収容部３ｙは、蓋７５（図３，１７参照）によって覆われる。
【００４１】
蓋７５は、図１７に示されるように、板状の基部７５ａと、基部７５ａの一端部（端部、縁部）に設けられた係部７５ｂと、基部７５ａの他端部（端部、縁部）に設けられた係部７５ｃと、本体部７１ａに設けられたリブ７５ｄと、を有する。蓋７５は、係部７５ｃが収容部３ｙの側壁３ｙ５に設けられた係部（図示せず）に係り、係部７５ｂが収容部３ｙの係部３ｙ７に係ることで、第一の部材３Ｒｒに取り付けられる。また、係部７５ｂが収容部３ｙの係部３ｙ７から外され、係部７５ｃが側壁３ｙ５に設けられた係部から外されることで、蓋７５が第一の部材３Ｒｒから取り外される。
【００４２】
本実施形態では、一例として、図３，１８に示されるように、筐体３の下側（支持部２Ｆｒ，２Ｒｒ側、載置面側）の端部３ｅに、機器電源としてのバッテリ５０（電池、蓄電池、組電池、バッテリモジュール、収容部品、部品、モジュール、着脱部品）の収容部５１が設けられている。収容部５１は、バッテリ５０が収容された状態で、蓋５２（覆部、塞部、カバー、キャップ、図３，２０参照）で覆われる。
【００４３】
本実施形態では、一例として、収容部５１（バッテリ５０）は、二つの支持部２Ｆｒの間に設けられている。また、図４を参照すれば、収容部５１（バッテリ５０）は、三つの支持部２Ｆｒ，２Ｒｒの間に位置されていることが理解できよう。このように、本実施形態では、一例として、二つの支持部２Ｆｒ間、ならびに三つの支持部２Ｆｒ，２Ｒｒ間に収容部５１（バッテリ５０）が設けられている。よって、本実施形態によれば、一例としては、比較的重量の大きいバッテリ５０を筐体３に設けたことによって筐体３のバランスが損なわれるのが、抑制されやすい。すなわち、一例としては、テレビジョン受像機１の重心がより下方に位置され、テレビジョン受像機１がより倒れにくい。
【００４４】
また、本実施形態では、一例として、図３に示されるように、蓋５２の表示画面４ａとは反対側（後側、背面側、背後側）に、支持部２Ｒｒが位置されている。よって、本実施形態によれば、一例としては、支持部２Ｒｒにより、ユーザ等が蓋５２（の操作部５２ｂ）に接触するのが抑制されやすい。よって、一例としては、蓋５２の誤った開操作が抑制されやすい。
【００４５】
また、本実施形態では、一例として、図１２，１３に示されるように、バッテリ５０は、表示装置４の下側で、二つのスピーカ３８の間に位置されている。よって、本実施形態によれば、一例としては、端部３ｅに沿ってスピーカ３８とバッテリ５０とを配置することで、筐体３内の表示装置４の下側（支持部２Ｆｒ，２Ｒｒ側）の空間をより効率良く利用することができる。また、本実施形態では、一例として、バッテリ５０とともにスピーカ３８を筐体３に設けたことによって筐体３のバランスが損なわれるのが、より一層抑制されやすい。すなわち、テレビジョン受像機１の重心がより下方に位置され、テレビジョン受像機１がより倒れにくい。また、本実施形態では、一例として、バッテリ５０が端部３ｅの長手方向の中央位置（中間位置）に位置し、二つのスピーカ３８がバッテリ５０を挟む状態に位置している。よって、本実施形態によれば、一例としては、テレビジョン受像機１の筐体３の長手方向（図１２，１３の左右方向）のバランスが損なわれるのが、抑制されやすい。
【００４６】
また、本実施形態では、一例として、図３，４からわかるように、収容部５１（バッテリ５０）は、支持部２Ｆｒ，２Ｒｒとは外れて位置されている。よって、本実施形態によれば、一例としては、支持部２Ｆｒ，２Ｒｒと収容部５１とが近付けられたあるいは重なった場合に比べて、収容部５１がより容易に構成されやすい上、支持部２Ｆｒ，２Ｒｒの剛性が損なわれ難い。
【００４７】
また、本実施形態では、一例として、図３に示されるように、収容部５１は、筐体３の後面３ｂに設けられ、かつ、後方、すなわち表示画面４ａとは反対側に向けて開口されている。よって、本実施形態によれば、一例としては、収容部５１および蓋５２が表示画面４ａの前方（正面側）からは見えにくい。よって、一例としては、収容部５１および蓋５２によっては美観が損なわれにくい。
【００４８】
また、本実施形態では、一例として、図１８に示されるように、収容部５１は、第一の部材３Ｒｒの壁部３ｍから壁部３ｎに亘り、後方（表示画面４ａとは反対側）かつ下方（載置面側、端部３ｃとは反対側、支持部２Ｆｒ，２Ｒｒの突出方向）に開放された凹部として設けられている。収容部５１は、端部３ｅに沿って延びている。収容部５１は、主として壁部５１ａ（底壁部、底壁、奥壁）と、壁部５１ｂ（側壁部、周壁部、側壁、周壁）と、によって構成されている。壁部５１ａは、凹部の奥側で、表示画面４ａあるいは後面３ｂと略平行な姿勢、すなわち、表示画面４ａに直交する方向（法線方向）と交叉し（本実施形態では、一例として直交し）、ＸＹ平面に沿った姿勢で、設けられている。また、壁部５１ａは、長方形状に構成されている。壁部５１ｂは、壁部５１ａの周囲を覆い、壁部５１ａと交叉（本実施形態では、一例として直交）している。上述したように、収容部５１は、端部３ｅで壁部３ｍから壁部３ｎに亘って、後方かつ下方に開口されている。よって、下方には壁部５１ｂは設けられていない。また、収容部５１の端部３ｅから離れた壁部５１ｂ側には、後面３ｂと壁部５１ｂとの間に位置された面５１ｄ（段差面、段差部、壁部、切欠部、凹部）が設けられている。このように、本実施形態では、一例として、収容部５１が、第一の部材３Ｒｒ（の壁部３ｍおよび壁部３ｎ）に凹部として構成されている。よって、一例としては、第一の部材３Ｒｒの剛性がより高まりやすい。
【００４９】
また、収容部５１内の壁部３ｍ（壁部５１ａと壁部５１ｂとの境界部分）には、開口部５１ｅが設けられ、この開口部５１ｅからコネクタ部５３が露出されている。コネクタ部５３は、互いに平行に設けられた複数のフィン５３ａ（壁部）を有している。各フィン５３ａには、バッテリ５０のコネクタ部５０ｂの端子（図示されず）と電気的に接続され、バッテリ５０内の導体部分（セル５０ｄ（図２１参照）の電極等）と筐体３内の導体部分（回路基板４０（図１３参照）等）とを電気的に接続する端子（図示されず）が設けられている。複数のフィン５３ａ間のスリットは、少なくとも後方かつ下方に開放されている。
【００５０】
また、収容部５１内では、壁部５１ｂに、フック５１ｆがスライド可能に支持されている。フック５１ｆ（引掛部、抜け止め部）は、操作子５１ｇ（操作部）と連動している。ユーザは、操作子５１ｇを操作することで、バッテリ５０が筐体３にロックされた状態とロック解除された状態とを切り替えることができる。また、フック５１ｆおよび操作子５１ｇは、図示されない付勢部材（弾性部材、一例としてはバネ）により、一方（一例としては図１８の右側）に向けて付勢されている。また、収容部５１内には、端部３ｅ側の壁部３ｍ（壁部５１ａ）に、開口部５１ｈが設けられている。フック５１ｆは、バッテリ５０に設けられたフック部５０ｋ（図１９参照）に引っ掛かり、これにより、バッテリ５０が収容部５１から抜け出すのが抑制される。
【００５１】
また、本実施形態では、一例として、図１９に示されるように、バッテリ５０は、偏平かつ細長い外観を呈する。バッテリ５０は、筐体５０ａや、コネクタ部５０ｂ、突出部５０ｃ、セル５０ｄ（図２１参照）等を有する。筐体５０ａは、図２１にも示されるように、内壁５０ｅ（壁部）や、外壁５０ｆ（壁部）、上壁５０ｇ（壁部）を有する。外壁５０ｆの幅方向一端部（図１９の上側の端部）は外側に張り出しており、フランジ部５０ｈが設けられている。上壁５０ｇとフランジ部５０ｈとの間にコネクタ部５０ｂが設けられている。コネクタ部５０ｂは、互いに平行に設けられた複数のフィン５０ｉ（壁部）を有している。各フィン５０ｉに筐体３に設けられたコネクタ部５３の端子（図示されず）と電気的に接続され、バッテリ５０内の導体部分（セル５０ｄの電極等）と筐体３内の導体部分（回路基板４０（図１３参照）等）とを電気的に接続する端子（図示されず）が設けられている。複数のフィン５３ａ間のスリットは、少なくとも装着状態での前方（表示画面４ａ側）かつ上方（載置面とは反対側、支持部２Ｆｒ，２Ｒｒの突出方向とは反対側）に開放されている。
【００５２】
また、本実施形態では、一例として、図２０，２１に示されるように、バッテリ５０が収容部５１に収容された状態で、蓋５２（覆部）がバッテリ５０ならびに収容部５１を覆う。蓋５２は、壁部５２ａや、操作部５２ｂ、リブ５２ｅ（突出部）等を有する。壁部５２ａは、収容部５１の開口縁５１ｉを覆い（塞ぎ）、壁部３ｍ，３ｎと連なる。すなわち、蓋５２が装着された状態では、壁部５２ａの外面５２ｃ（面、面部）は、壁部３ｍ，３ｎの後面３ｂおよび亘面３ｐに連なって、これらと一連の滑らかな曲面を構成する。操作部５２ｂは、壁部３ｍに設けられた開口部５１ｊに弾性変形しながら挿入され、開口部５１ｊの周縁部に引っ掛かる。ユーザは、操作部５２ｂを弾性的に変形させることで、開口部５１ｊの周縁部との引っ掛かりを解除し、蓋５２を取り外すことができる。
【００５３】
また、本実施形態では、一例として、図２１に示されるように、壁部５２ａのバッテリ５０側の内面５２ｄ（面、面部）には、バッテリ５０側へ突出したリブ５２ｅ（突出部、壁部）が設けられている。リブ５２ｅを設けることで、蓋５２の剛性が高まりやすい。また、図２１を参照すれば、バッテリ５０の外面５０ｊと蓋５２の壁部５２ａの内面５２ｄとの間には、間隔が変化する隙間が設けられていることがわかる。すなわち、本実施形態によれば、一例としては、蓋５２を設けたため、バッテリ５０の外壁５０ｆの形状を筐体３の壁部３ｍ，３ｎの形状に完全に合わせる必要が無くなる。よって、一例としては、蓋５２を設けたことで、バッテリ５０の設計自由度が高まりやすい。
【００５４】
また、本実施形態では、一例として、図２２に示されるように、バッテリ５０を収容部５１に収容される際、バッテリ５０の突出部５０ｃが開口部５１ｈに挿入され、バッテリ５０の突出部５０ｃ（第四の支持部）が、開口部５１ｈの周縁部５１ｃ（第三の支持部）に支持された状態で、バッテリ５０は第一の位置Ｐ１から第二の位置Ｐ２へ回動して、収容部５１に収まる。よって、本実施形態によれば、一例としては、バッテリ５０は、比較的簡単に収容部５１に収容されることができる。コネクタ部５０ｂおよびコネクタ部５３にはフィン５０ｉ，５３ａならびにスリット（少なくともバッテリ５０の回動の周方向、本実施形態では、一例としてＹＺ平面に沿ったスリット）が設けられており、コネクタ部５０ｂは、コネクタ部５３と離間した第一の位置Ｐ１と、コネクタ部５３と電気的に接続される第二の位置Ｐ２との間で、回動可能である。
【００５５】
以上、説明したように、本実施形態では、一例として、テレビジョン受像機１は、第二の部材３Ｍｄの、表示画面４ａの短手方向側の端部３ｅの、表示画面４ａの長手方向の両側の端部３ｄ，３ｆより中央部側に寄った位置から突出した突出部２１ｅを有した二つの第一の支持部２Ｆｒと、二つの第一の支持部２Ｆｒと離間して第一の部材３Ｒｒから突出した第二の支持部２Ｒｒと、を有した。よって、本実施形態によれば、一例としては、第一の支持部２Ｆｒおよび第二の支持部２Ｒｒによって、より狭い領域でテレビジョン受像機１を支持することができる。よって、一例としては、テレビジョン受像機１をより狭いスペースにも置きやすくなる。また、一例としては、支持部が長手方向の両端部に位置された構成に比べて、第一の支持部２Ｆｒを含む部分がよりスリムにあるいはより小さく見えやすくなる。
【００５６】
また、本実施形態では、一例として、コネクタ６８が、端部３ｒ（端部３ｄ）と端部３ｔ（端部３ｆ）とのうち端部３ｔ（端部３ｆ）に寄せられ、コネクタ７０が、端部３ｒ（端部３ｄ）と端部３ｔ（端部３ｆ）とのうち端部３ｒ（端部３ｄ）に寄せられている。したがって、本実施形態によれば、一例として、コネクタ７０がコネクタ６８から離れているので、コネクタ７０に装着された無線通信装置７１による無線通信に、テレビジョン受像機１に設けられた他の部品としてのコネクタ６８からのノイズが影響を与えることを抑制することができる。よって、本実施形態によれば、一例として、無線通信装置７１による無線通信を良好に行うことができる。
【００５７】
また、本実施形態では、一例として、回路基板４２が、壁部６３の表示装置４とは反対側で壁部６３に取り付けられている。したがって、本実施形態によれば、一例として、回路基板４２の取付を容易に行うことができる。
【００５８】
また、本実施形態では、一例として、回路基板４２が壁部６３から離されている。したがって、本実施形態によれば、一例として、表示装置４からのノイズが回路基板４２や無線通信装置７１に入ることを抑制することができる。
【００５９】
また、本実施形態では、一例として、コネクタ７０に取り付けられた無線通信装置７１の少なくとも一部（本体部７１ａ）が、表示装置４の厚さ方向の視線で表示装置４から外れている。したがって、本実施形態によれば、一例として、表示装置４からのノイズが無線通信装置７１へ入ることを抑制することができる。
【００６０】
また、本実施形態では、一例として、第一の部材３Ｒｒの角部３ｚに、コネクタ７０に取り付けられる無線通信装置７１を収容する収容部３ｙ（収容部）が設けられている。したがって、本実施形態によれば、一例として、無線通信装置７１の着脱がし易い。
【００６１】
また、本実施形態では、一例として、電磁波遮蔽性の筐体４１ａを有したＨＤＤ４１がコネクタ６８とコネクタ７０との間に位置されている。したがって、本実施形態によれば、一例として、コネクタ６８からノイズがコネクタ７０へ向かうのをＨＤＤ４１が抑制（規制）するので、無線通信装置７１による無線通信を良好に行うことができる。
【００６２】
また、本実施形態では、一例として、テレビジョン受像機１は、第一の部材３Ｒｒの二つの第一の支持部２Ｆｒ側の端部３ｅの当該二つの第一の支持部２Ｆｒの間となる位置に設けられ、表示画面４ａとは反対側に開口された収容部５１に着脱可能に収容されたバッテリ５０と、収容部５１を覆った蓋５２と、を備えた。よって、本実施形態によれば、一例としては、バッテリ５０の外壁５０ｆや外面５０ｊ等を筐体３の後面３ｂや亘面３ｐに合わせなくてもよい。よって、一例としては、バッテリ５０の設計自由度がより高まりやすい。よって、一例としては、バッテリ５０の製造の手間やコストがより低減されやすい。
【００６３】
また、本実施形態では、一例として、収容部５１は、第一の部材３Ｒｒに凹部として設けられた。よって、本実施形態によれば、一例としては、収容部５１が設けられた部分で、壁部３ｍ，３ｎが屈曲され、当該壁部３ｍ，３ｎひいては筐体３の剛性がより高まりやすい。
【００６４】
また、本実施形態では、一例として、二つの支持部２Ｆｒ間、ならびに三つの支持部２Ｆｒ，２Ｒｒ間に収容部５１（バッテリ５０）が設けられている。よって、本実施形態によれば、一例としては、比較的重量の大きいバッテリ５０を筐体３に設けたことによって筐体３のバランスが損なわれるのが、抑制されやすい。すなわち、一例としては、テレビジョン受像機１がより倒れにくい。
【００６５】
以上、本発明の実施形態を例示したが、上記実施形態はあくまで一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。上記実施形態やその変形は、発明の範囲や要旨に含まれるとともに、特許請求の範囲に記載された発明とその均等の範囲に含まれる。また、上記実施形態や各変形例の技術的特徴は、適宜に組み合わせたり、部分的に置換したりして実施することができる。また、各構成や部位のスペック（構造や、種類、方向、形状、大きさ、長さ、幅、厚さ、高さ、数、配置、位置、材質等）は、適宜に変更して実施することができる。
【符号の説明】
【００６６】
１…テレビジョン受像機（電子機器）、２Ｆｒ…第一支持部（第一の支持部、支持部）、２Ｒｒ…第二支持部（第二の支持部、支持部）、２１ｅ…突出部、３…筐体、３ｄ，３ｒ…端部（第二の端部）、３ｆ，３ｔ…端部（第一の端部）、３ｙ…収容部、３Ｆｒ…第三の部材（マスク部材）、３Ｍｄ…第二の部材（ミドルフレーム部材）、３Ｒｒ…第一の部材（カバー）、４…表示装置、４ａ…表示画面、４１…ＨＤＤ（電子部品）、４１ａ…筐体、４２…回路基板（第二の回路基板）、６１…回路基板（第一の回路基板）、６３…壁部、６８…コネクタ（第一のコネクタ）、７０…コネクタ（第二のコネクタ）、７１…無線通信装置、８０…外部機器。
【図１】
0005395924.tif 000002
【図２】
0005395924.tif 000003
【図３】
0005395924.tif 000004
【図４】
0005395924.tif 000005
【図５】
0005395924.tif 000006
【図６】
0005395924.tif 000007
【図７】
0005395924.tif 000008
【図８】
0005395924.tif 000009
【図９】
0005395924.tif 000010
【図１０】
0005395924.tif 000011
【図１１】
0005395924.tif 000012
【図１２】
0005395924.tif 000013
【図１３】
0005395924.tif 000014
【図１４】
0005395924.tif 000015
【図１５】
0005395924.tif 000016
【図１６】
0005395924.tif 000017
【図１７】
0005395924.tif 000018
【図１８】
0005395924.tif 000019
【図１９】
0005395924.tif 000020
【図２０】
0005395924.tif 000021
【図２１】
0005395924.tif 000022
【図２２】
0005395924.tif 000023